(57)【要約】【目的】  壁仕上材および取付レールを薄型化でき、且つ簡単に施工することのできる新しい壁面取付構造を提供する。【構成】  壁（１）に設けられた取付レール（２）と、取付レール（２）に着脱自在に取り付けられる支持部材（３）とを備え、この支持部材（３）を介して被取付物（４）を壁面に取付け支持する壁面取付構造において、取付レール（２）を、その後面上下に設けられた固定フランジ（２２）（２３）を有し、両方の固定フランジ（２２）（２３）が壁下地材（１１）と壁仕上材（１２）との間に位置するとともに、一方の固定フランジ（２２）（２３）が壁下地材（１１）にネジ固定され、他方の固定フランジ（２２）（２３）が壁仕上材（１２）にネジ固定されるものとする。【選択図】図１
2005042476.tif 000002
【特許請求の範囲】
【請求項１】
壁に設けられた取付レールと、取付レールに着脱自在に取り付けられる支持部材とを備え、この支持部材を介して被取付物を壁面に取付け支持する壁面取付構造であって、
取付レールは、その後面上下に設けられた固定フランジを有しており、上下両方の固定フランジが壁下地材と壁仕上材との間に位置するとともに、一方の固定フランジが壁下地材にネジ固定され、他方の固定フランジが壁仕上材にネジ固定されるようになっていることを特徴とする壁面取付構造。
【発明の詳細な説明】
【技術分野】
【０００１】
この出願の発明は、壁面取付構造に関するものである。さらに詳しくは、この出願の発明は、子棚等の家具の壁面への取付けに有用な、壁仕上材ならびに取付レールを薄型化することができ、且つ簡単に施工することのできる、新しい壁面取付構造に関するものである。
【背景技術】
【０００２】
従来、室内の壁面に子棚や小物入れ等の家具を取り付ける場合、木ネジや接着剤がしばしば用いられていた。
【０００３】
しかしながら、木ネジによる家具の取付けには工具が必要であり、位置を変更する際も同様の作業が必要になると同時に、家具を外した後の壁面にネジ跡が残り室内の美観を損なうという問題もあった。また、接着剤による家具の取付けは、取付け後に接着剤が完全に硬化乾燥するまで家具が使用できず、位置を変更する際には家具と壁面間に工具を挿入して剥がし取る作業が必要になると同時に、家具を外した後の壁面に汚れが残り室内の美観を損なうという問題もあった。
【０００４】
そこで、たとえば図２に例示したように、壁（１）自体に取付溝（２１）付き取付レール（２）を設け、これに支持部材（３）を介して載置棚や収納箱等の被取付物（４）を係止保持するようにしたものが既に提案されている（特許文献１参照）。
【特許文献１】特開２００２−３６４１０３号公報
【発明の開示】
【発明が解決しようとする課題】
【０００５】
しかしながら、上記のとおりの従来構造では、壁下地材（１１）および壁仕上材（１２）とから構成される壁（１）に対して、上下壁仕上材（１２）間にて取付レール（２）を取り付けるのであるが、その上面から立設した嵌挿突部（ア）および下面から垂下した嵌挿突部（イ）を上方の壁仕上材（１２）の下端部に設けられた嵌挿孔（ウ）および下方の壁仕上材（１２）の上端部に設けられた嵌挿孔（エ）にそれぞれ嵌挿する必要があるため、壁仕上材（１２）の厚さが厚く、また取付レール（２）自体の厚さも厚くなるといった問題があった。
【０００６】
そこで、以上のとおりの事情に鑑み、この出願の発明は、壁仕上材ならびにそれに取り付けられる取付レールを薄型化することができ、且つ簡単に施工することのできる、新しい壁面取付構造を提供することを課題としている。
【課題を解決するための手段】
【０００７】
この出願の発明は、上記の課題を解決するものとして、第１には、壁に設けられた取付レールと、取付レールに着脱自在に取り付けられる支持部材とを備え、この支持部材を介して被取付物を壁面に取付け支持する壁面取付構造であって、取付レールは、その後面上下に設けられた固定フランジを有しており、上下両方の固定フランジが壁下地材と壁仕上材との間に位置するとともに、一方の固定フランジが壁下地材にネジ固定され、他方の固定フランジが壁仕上材にネジ固定されるようになっていることを特徴とする壁面取付構造を提供する。
【発明の効果】
【０００８】
上記第１の壁面取付構造によれば、壁仕上材の厚さを薄くすることができ、且つそれに取り付けられる取付レールも薄くでき、もちろん取付レールの取付けも簡単に行うことができる。
【発明を実施するための最良の形態】
【０００９】
図１は、この出願の発明の一実施形態を示したものである。
【００１０】
たとえばこの図１に例示したように、この出願の発明は、壁（１）に設けられた取付レール（２）と、取付レール（２）に着脱自在に取り付けられる支持部材（３）とを備え、この支持部材（３）を介して被取付物（４）を壁面に取付け支持する壁面取付構造において、取付レール（２）を、その後面上下に設けられた固定フランジ（２２）（２３）を有し、上下両方の固定フランジ（２２）（２３）が壁下地材（１１）と壁仕上材（１２）との間に位置されるとともに、上下いずれか一方の固定フランジ（２２）（２３）が壁下地材（１１）にネジ固定され、他方の固定フランジ（２２）（２３）が壁仕上材（１２）にネジ固定されるものとすることで、壁仕上材（１２）および取付レール（２）の薄型化を実現している。
【００１１】
この場合さらに説明すると、図１の実施形態では、まず、壁（１）は、壁下地材（１１）とその表面に取り付けられる壁板や壁パネル等の壁仕上材（１２）から構成されている。
【００１２】
取付レール（２）は、この壁（１）に対して、上方および下方の壁仕上材（１２）間にて水平方向に延びた断面略コ字形状の取付溝（２１）を有し、且つその後面から上方へ延設した固定フランジ（２２）および下方へ延設した固定フランジ（２３）を有するものであり、それら固定フランジ（２２）（２３）の両方が壁下地材（１１）と壁仕上材（１２）との間の隙間に挟み込まれるとともに、上方の固定フランジ（２２）が固定ネジ（５）によって壁下地材（１１）の表面にネジ固定され、且つ下方の固定フランジ（２３）が固定ネジ（５）によって壁仕上材（１２）の裏面にネジ固定されて、壁（１）に取り付けられる。
【００１３】
これにより、取付レール（２）は、前記図２の従来構造のように嵌挿突部（ア）（イ）および嵌挿孔（ウ）（エ）を用いることなく、壁（１）にしっかりと取り付けることができるため、嵌挿孔（ウ）（エ）が不要となった壁仕上材（１２）の厚さを従来よりも薄くすることができ、また嵌挿突部（ア）（イ）が不要となった取付レール（２）自体も従来よりも薄型化できるのである。
【００１４】
また、その取付施工についても、まず上下一方の固定フランジ（２２）（２３）（図１では下方の固定フランジ（２３））をそれに対応する上下一方の壁仕上材（１２）（図１では下方の壁仕上材（１２））の裏面にネジ固定することで、取付レール（２）自体を壁仕上材（１２）に取り付けておき、続いてそれを壁下地材（１１）の表面に位置させて、取付レール（２）の他方の固定フランジ（２２）（２３）（図１では上方の固定フランジ（２２））を壁下地材（１１）の表面にネジ固定させ、そして他方の壁仕上材（１２）（図１では上方の壁仕上材（１２））を壁下地材（１１）の表面に、先の壁仕上材（１２）との間で取付レール（２）を挟むようにして取り付ければよく、取付レール（２）および壁仕上材（１２）の施工を同時に且つ簡単に行うことができる。
【００１５】
後は、壁（１）に取り付けられた取付レール（２）の適宜位置に対して支持部材（３）を、その差込部（３１）を取付溝（２１）に差し込むことで取り付け、この支持部材（３）を介して子棚や小物入れ等の家具を代表とする被取付物（４）を壁面に取付け支持する。
【００１６】
もちろん、この出願の発明は以上の実施形態に限定されるものではなく、細部については様々な態様が可能である。
【産業上の利用可能性】
【００１７】
以上詳しく説明した通り、この出願の発明によって、壁仕上材ならびにそれに取り付けられる取付レールを薄型化することができ、且つ簡単に施工することのできる、新しい壁面取付構造が提供される。
【図面の簡単な説明】
【００１８】
【図１】この出願の発明の一実施形態を示した断面図である。
【図２】従来の壁面取付構造を例示した断面図である。
【符号の説明】
【００１９】
１  壁
１１  壁下地材
１２  壁仕上材
２  取付レール
２１  取付溝
２２、２３  固定フランジ
３  支持部材
３１  差込部
４  被取付物
５  固定ネジ
【図１】
2005042476.tif 000003
【図２】
2005042476.tif 000004